(57)【要約】      （修正有）【課題】必要且つ十分な構成の安全機構を切替器付き専用分電盤の筐体内に収容させて一体化させた、切替器付き専用分電盤を提供する。【解決手段】安全機構としての外部電源コントロール手段が、基台９とその正面側をカバーするカバー体１１を備えた筐体に収容されており、カバー体１１から、それぞれの手動操作部と視認確認部が表出している。外部電源コントロール手段には、電源容量を超えて異常になったときと、緊急停止用の手動操作部が操作されたときには外部電源の供給を停止する停止手段と、供給再開用の手動操作部が操作されたときに電源の供給を再開するリセット手段が設けられており、緊急停止用に、その作動とそのリセットを促す手動操作部と報知ランプを兼ねたランプボタン２３と、異常停止用に、そのリセットを促す手動操作部と報知ランプを兼ねたランプボタン２５が、カバー体１１に表出している。【選択図】図２
0003233809.tif 000002
【実用新案登録請求の範囲】
【請求項１】
商用電源供給ラインと外部電源供給ラインとを切替える手動式の切替器と、分岐ブレーカと、供給電源の種別表示手段と、外部電源コントロール手段が、基台とその正面側をカバーするカバー体を備えた筐体に収容されており、
前記カバー体から、それぞれの手動操作部と視認確認部が表出していることを特徴とする切替器付き専用分電盤。
【請求項２】
請求項１に記載した切替器付き専用分電盤において、
外部電源コントロール手段には、電源容量を超えて異常になったときと、緊急停止用の手動操作部が操作されたときには外部電源の供給を停止する停止手段と、供給再開用の手動操作部が操作されたときに電源の供給を再開するリセット手段が設けられていることを特徴とする切替器付き専用分電盤。
【請求項３】
請求項２に記載した切替器付き専用分電盤において、
主幹ブレーカと、切替器の切替レバーと、分岐ブレーカと、種別表示手段の外部電源供給中を示す外部電源ランプに加えて、更に、外部電源コントロール手段の緊急停止用に、その作動とそのリセットを促す手動操作部と報知ランプを兼ねたランプボタンと、異常停止用に、そのリセットを促す手動操作部と報知ランプを兼ねたランプボタンが、カバー体に表出していることを特徴とする切替器付き専用分電盤。
【請求項４】
請求項３に記載した切替器付き専用分電盤において、
電源容量の監視用に、外部電源が単相３線式の場合は電力モニタ、単相２線式の場合は単相電流リレーがそれぞれ設けられており、設定用の手動操作部と前記電力モニタのディスプレイが表出していることを特徴とする切替器付き専用分電盤。
【請求項５】
請求項４に記載した切替器付き専用分電盤において、
商用電源の復帰、緊急停止、異常のときに報知する音声報知器が設けられていることを特徴とする切替器付き専用分電盤。
【考案の詳細な説明】
【技術分野】
【０００１】
本考案は、切替器付き専用分電盤に関するものである。
【背景技術】
【０００２】
地震などの非常時に電力会社から供給される商用電源が停止して電気が使用できなくなることがある。このような非常時に発電機等の外部電源をスムーズに利用することができるよう、本出願人は、先に、特許文献１に記載のように、停電時電源切替システムを案出した。
この停電時電源切替システムでは、切替器付き分電盤を備えており、外部電源が切替器を通って分電盤に繋がるようになっている。また、分電盤とは別体のコントロールボックスを備えており、外部電源を安全に供給するために必要な安全機構がそのコントロールボックスに構築されている。
【先行技術文献】
【特許文献】
【０００３】
【特許文献１】特許第６１６４９８４号公報
【考案の概要】
【考案が解決しようとする課題】
【０００４】
しかしながら、別体のコントロールボックスを設けて複雑な安全機構を構築してまで外部電源の安全な供給を確保するのはオーバークオリティと言われている。また、切替器付き分電盤とコントロールボックスをセットで販売することになるので、その販売コストも高くなる。更に、コントロールボックスを切替器付き分電盤と並列して屋内に設置することになるので、その分だけ場所を取る。
【０００５】
本考案は上記従来の問題点に着目して為されたものであり、必要且つ十分な構成の安全機構を切替器付き専用分電盤の筐体内に収容させて一体化させた、切替器付き専用分電盤を提供することを、その目的とする。
【課題を解決するための手段】
【０００６】
本考案は、上記目的を達成するために為されたものであり、請求項１の考案は、商用電源供給ラインと外部電源供給ラインとを切替える手動式の切替器と、分岐ブレーカと、供給電源の種別表示手段と、外部電源コントロール手段が、基台とその正面側をカバーするカバー体を備えた筐体に収容されており、前記カバー体から、それぞれの手動操作部と視認確認部が表出していることを特徴とする切替器付き専用分電盤である。
【０００７】
請求項２の考案は、請求項１に記載した切替器付き専用分電盤において、外部電源コントロール手段には、電源容量を超えて異常になったときと、緊急停止用の手動操作部が操作されたときには外部電源の供給を停止する停止手段と、供給再開用の手動操作部が操作されたときに電源の供給を再開するリセット手段が設けられていることを特徴とする切替器付き専用分電盤である。
【０００８】
請求項３の考案は、請求項２に記載した切替器付き専用分電盤において、主幹ブレーカと、切替器の切替レバーと、分岐ブレーカと、種別表示手段の外部電源供給中を示す外部電源ランプに加えて、更に、外部電源コントロール手段の緊急停止用に、その作動とそのリセットを促す手動操作部と報知ランプを兼ねたランプボタンと、異常停止用に、そのリセットを促す手動操作部と報知ランプを兼ねたランプボタンが、カバー体に表出していることを特徴とする切替器付き専用分電盤である。
【０００９】
請求項４の考案は、請求項３に記載した切替器付き専用分電盤において、電源容量の監視用に、外部電源が単相３線式の場合は電力モニタ、単相２線式の場合は単相電流リレーがそれぞれ設けられており、設定用の手動操作部と前記電力モニタのディスプレイが表出していることを特徴とする切替器付き専用分電盤である。
【００１０】
請求項５の考案は、請求項４に記載した切替器付き専用分電盤において、商用電源の復帰、緊急停止、異常のときに報知する音声報知器が設けられていることを特徴とする切替器付き専用分電盤である。
【考案の効果】
【００１１】
本考案の切替器付き専用分電盤の筐体には、必要且つ十分な構成の安全機構も収容されて一体化されており、外部電源が安全に供給されることが確保される一方で、従来の分電盤とコントロールボックスのセットに比べて、販売コストを大幅に下げたり、設置に必要な場所を小さくしたりできる。
【図面の簡単な説明】
【００１２】
【図１】本考案の実施の形態に係る外部電源が単相３線式の場合の停電時電源切替システムの全体の構成図である。
【図２】図１の切替器付き専用分電盤の正面図である。
【図３】図１の単相結線図である。
【図４】図１の展開接続図である。
【図５】図１の展開接続図である。
【図６】図１の展開接続図である。
【図７】図１の展開接続図である。
【図８】図１の展開接続図である。
【図９】図１の展開接続図である。
【図１０】本考案の実施の形態に係る外部電源が単相２線式の場合の切替器付き専用分電盤の正面図である。
【図１１】図１０の単相結線図である。
【図１２】図１０の展開接続図である。
【図１３】図１０の展開接続図である。
【図１４】図１０の展開接続図である。
【図１５】図１０の展開接続図である。
【考案を実施するための形態】
【００１３】
以下、本考案の実施の形態を図面にしたがって説明する。
図１に示すように、停電時電源切替システム１は避難所や住宅等の建物に設置されている。この停電時電源切替システム１は、単相３線式の発電機３、屋外中継ボックス５、切替器付き専用分電盤７が備えられており、発電機３が停電時に稼働させる外部電源となっている。発電機３は搬送式になっており、発電機３を外部電源として利用するときには、専用ケーブルで屋外中継ボックス５と連結するようになっている。
屋外中継ボックス５は、発電機３からの電気を屋内に引き込むためのものである。この屋外中継ボックス５の筺体の正面には、発電機ランプ（ＰＬ１）が表出しており、発電機電源が供給されているときに黄色点灯するようになっている。
【００１４】
切替器付き専用分電盤７は、本考案の特徴をなす部分であり、既存の商用電源用の分電盤と交換して設置する。
図２に示すように、その筺体は、矩形で正面側が開口した箱状の基台９と、基台９の正面開口側を覆うカバー体１１と、カバー体１１の上側で回動自在に支持された扉１３とによって構成されており、扉１３を手前側に持ち上げて開けると、カバー体１１が露出するようになっている。
カバー体１１には窓穴が設けられており、その窓穴を利用して種々の手動操作部と視認確認部が表出している。
【００１５】
主幹ブレーカ（ＥＬＢ２）の操作レバー１５や分岐ブレーカ（ＥＬＢ３）の操作レバー１７、更には、外部電源側と商用電源側との切替器（ＤＳ１）の切替レバー１９が同様に窓穴から表出した状態で配設されている。
この筺体のカバー体１１は保護板としての機能を有しており、外部の塵埃等の侵入を阻止する。また、カバー体１１は取り外し可能になっており、取り外すことで、ケーブルの取替え作業も容易に行うことができる。さらに、通常時は、扉１３でカバー体１１を閉じることで、操作レバー１５などの誤操作も阻止できる。
また、切替レバー１９を窓穴から通して表出させておくことで、切替器（ＤＳ１）にも、主幹ブレーカ（ＥＬＢ２）等の漏電ブレーカ等と同様の保護機能を与えることができる。
【００１６】
この筐体には、発電機３からの電気を安全に供給するための安全機構を構成する部品も収容されている。
カバー体１１には、窓穴から、電力モニタを構成する電力量検出装置（ＫＭ５０）の設定部を含む電力モニタ２１、商用ランプ（ＰＬ５）、発電機ランプ（ＰＬ２）、（異常／リセット）ランプボタン２３、（緊急停止）ランプボタン２５が表出した状態で配設されている。商用ランプ（ＰＬ５）は商用電源が供給されているときに青色点灯するものであり、発電機ランプ（ＰＬ２）は発電機電源が供給されているときに黄色点灯するものである。
【００１７】
（異常／リセット）ランプボタン２３は、（異常／リセット）プッシュボタン（ＰＢ２）と、発電機容量異常ランプ（ＰＬ３）を兼ねており、異常状態で停止されていた発電機電源の供給を押下操作により再開し、異常状態では発電機容量異常ランプ（ＰＬ３）が赤色点灯する。
（緊急停止）ランプボタン２５は、（緊急停止）プッシュボタン（ＰＢ１）と、非常停止ランプ（ＰＬ４）を兼ねており、発電機電源の供給を押下操作により強制的に緊急停止し、頭部を回す操作により再開する。また、緊急停止状態では、非常停止ランプ（ＰＬ４）が赤色点灯する。
また、オプションとして、音声報知器（ＶＯ）も配設されている。
【００１８】
電気結線に関して、図３の単相結線図に基づいて大まかに説明する。
発電機電源供給ラインは、先ず、発電機３側から、屋外中継ボックス５内で漏電ブレーカ（ＥＬＢ１）に通される。更に、分岐して、発電機ランプ（ＰＬ１）に電源供給される。その後に、切替器付き専用分電盤７に延ばされている。
切替器付き専用分電盤７内では、主幹ブレーカ（ＥＬＢ２）に通された後に、電磁接触器タイプの開閉器（ＭＣ１）に通され、更に、切替器（ＤＳ１）の二つの入力側接続部のうち一方に接続されている。主幹ブレーカ（ＥＬＢ２）と開閉器（ＭＣ１）の間では、分岐して、サーキットプロテクタ（ＣＰ１）に通された後に、制御回路と音声報知器（ＶＯ）に電源供給される。また、別に分岐して、発電機ランプ（ＰＬ２）に電源供給される。
【００１９】
商用電源ラインは、単相３線式になっており、既設電灯盤では商用ブレーカ（ＮＦＢ）に通された後、切替器付き専用分電盤７では切替器（ＤＳ１）の残りの入力側接続部に接続されている。また、切替器（ＤＳ１）に接続する前で分岐して、サーキットプロテクタ（ＣＰ２）に通された後に、商用ランプ（ＰＬ５）に電源供給される。
切替器（ＤＳ１）の出力側接続部は切替後電源ラインに接続されており、この切替後電源ラインは、分岐ブレーカ（ＥＬＢ３）に通されて複数の給電ラインに分岐している。
【００２０】
次に、図４〜図９の展開接続図に基づいて、特に、安全機構に係る部分を中心に詳細に説明する。
商用電源ラインは単相３線式のＲ相、Ｓ相、Ｔ相から成っている。Ｓ相は接地されており、Ｒ相−Ｓ相間とＴ相−Ｓ相間はＡＣ１００Ｖ、Ｒ相−Ｔ相間はＡＣ２００Ｖとなっている。商用電源ラインのＲ相とＳ相とに、商用ランプ（ＰＬ５）の両端側端子が接続されて分岐回路が構成されている。
【００２１】
発電機電源ラインは単相３線式でＲ相、ＨＮ相、Ｔ相から成っており、ＨＮ相が接地されている。
電力量検出装置（ＫＭ５０−Ｃ１）の電流トランス（ＣＴ１、ＣＴ２）が検出対象であるＲ相とＴ相に接続されており、電力量が許容以上になると内蔵されたリレーが作動するようになっている。
また、制御回路として、そのＲ相とＨＮ相には、電源入力側から、発電機ランプ（ＰＬ２）、発電電源機供給ディレー（Ｔ１）、発電機電源供給リレー（ＭＣ１）、発電機容量異常リレー（Ｒ１）のそれぞれの両端側端子が接続されて分岐回路が構成されている。直流電源（ＰＳ１）で形成されたＰ相とＮ相には、発電機容量異常ランプ（ＰＬ３）、非常停止ランプ（ＰＬ４）、発電機容量異常リレー（Ｒ２）のそれぞれの両端側端子が接続されて分岐回路が構成されている。
【００２２】
発電機容量異常リレー（Ｒ２）の分岐回路には、備えた電力量検出装置（ＫＭ５０−Ｃ１）に内蔵されたリレーの作動により閉じる電源遮断接点（ＫＭ５０）が介装されており、電力量が許容以上になると接点が閉じて発電機容量異常リレー（Ｒ２）が作動する。
発電機容量異常ランプ（ＰＬ３）の分岐回路には、発電機容量異常リレー（Ｒ１）の作動により閉じる点灯接点（Ｒ１）が介装されている。
非常停止ランプ（ＰＬ４）の分岐回路には、（緊急停止）プッシュボタン（ＰＢ１）の押下により閉じる点灯接点が介装されている。
【００２３】
発電機容量異常リレー（Ｒ１）の分岐回路には、発電機容量異常リレー（Ｒ２）の作動により閉じる発電機容量異常接点（Ｒ２）と自己保持接点（Ｒ１）が並列に介装されており、更にこれらと直列に、（異常／リセット）プッシュボタン（ＰＢ２）の押下により開く手動接点が介装されている。
発電電源機供給ディレー（Ｔ１）の分岐回路には、発電機容量異常リレー（Ｒ１）の作動により開くディレー接点（Ｒ１）と、（緊急停止）プッシュボタン（ＰＢ１）の押下により開く手動接点が直列に介装されている。
発電機電源供給リレー（ＭＣ１）の分岐回路には、発電電源機供給ディレー（Ｔ１）の作動により閉じる供給接点（Ｔ１）が介装されている。
【００２４】
停電時電源切替システム１は、上記した構成を備えており、以下のように動作して電源を供給する。
通常時は、商用電源が供給されるので、外部電源側と商用電源側との切替器（ＤＳ１）を介して商用電源ラインが切替後電源ラインに繋がっている。
また、切替器付き専用分電盤７の商用ランプ（ＰＬ５）が点灯している。
【００２５】
商用電源が停止すると、発電機３を屋外中継ボックス５に専用ケーブルを介して接続させる。また、切替レバー１９の切替操作により、発電機電源ラインが切替器付き専用分電盤７に向かう切替後電源ラインに繋がる。
この状態で、発電機３を稼動させ、発電機電源が供給されると、屋外中継ボックス５の発電機ランプ（ＰＬ１）と、切替器付き専用分電盤７の発電機ランプ（ＰＬ２）が点灯する。
【００２６】
安全機構として、発電機容量は監視されており、発電機容量異常リレー（Ｒ２）が作動すると、発電機容量異常リレー（Ｒ１）が作動し、それに連係して、発電電源機供給ディレー（Ｔ１）、発電機電源供給リレー（ＭＣ１）が停止し、開閉器（ＭＣ１）が開かれて、電源供給が停止する。同時に、発電機容量異常ランプ（ＰＬ３）が点灯する。
発電機容量異常リレー（Ｒ１）は自己保持性であるが、（異常／リセット）プッシュボタン（ＰＢ２）を押下すると、発電機容量異常リレー（Ｒ１）が停止して、電源供給が再開される。また、発電機容量異常ランプ（ＰＬ３）が消灯する。
【００２７】
また、電力モニタ２１を見て容量が大きくなっていたり、配線が何かに引っ掛かっていたりする状態などを確認した者が、安全を考慮して、（緊急停止）プッシュボタン（ＰＢ１）を押下すると、連係した発電電源機供給ディレー（Ｔ１）が停止し、同様に、開閉器（ＭＣ１）が開かれて、電源供給が緊急停止する。同時に、非常停止ランプ（ＰＬ４）が点灯する。
（緊急停止）プッシュボタン（ＰＢ１）の頭部を回すと、発電電源機供給ディレー（Ｔ１）が再び作動して、電源供給が再開される。また、非常停止ランプ（ＰＬ４）が消灯する。
【００２８】
上記のように安全機構は、簡易ながら、必要且つ十分な構成になっており、更に、オプションとして音声報知器（ＶＯ）を設け、商用電源に復帰したとき、緊急停止したとき、容量異常になったときに音声で報知することで、周囲にいる者に注意を促すことができるようになっている。
また、切替器付き専用分電盤７に安全機構も収められてコンパクト化されているので、設置に必要な場所を大きく取らなくて済む。販売コストも大幅に下げることができる。
【００２９】
次に、単相２線式（１００Ｖ）の発電機３３を使用する場合の停電時電源切替システム３１について説明する。
図１０に示すように、切替器付き専用分電盤３５も切替器付き専用分電盤７と同様な構成になっており、安全機構を中心に異なる部分について説明する。図１１に示すように、停電時電源切替システム３１も避難所や住宅等の建物に設置されている。カバー体１１には、窓穴から、単相電流リレーで構成された電流設定器（Ｋ８ＡＢ）の電流設定部３７と、発電機ランプ（ＰＬ２）、（異常／リセット）ランプボタン２３、（緊急停止）ランプボタン２５が表出した状態で配設されている。
【００３０】
図１２の単相結線図、図１３〜図１５の展開接続図に示すように、発電機電源ラインは単相２線式でＲ相、ＨＮ相から成っている。
電流設定器（Ｋ８ＡＢ）の電流トランス（ＣＴ）が検出対象であるＲ相に接続されており、電流が許容以上になると遮断接点（Ｋ８ＡＢ）が開くようになっている。
制御回路として、そのＲ相とＨＮ相には、電源入力側から、発電機ランプ（ＰＬ２）、発電機電源供給リレー（ＭＣ１）、非常停止ランプ（ＰＬ３）、過負荷異常ランプ（ＰＬ４）のそれぞれの両端側端子が接続されて分岐回路が構成されている。
【００３１】
発電機電源供給リレー（ＭＣ１）の分岐回路には、ブレイク式の遮断接点（Ｋ８ＡＢ）と、（緊急停止）プッシュボタン（ＰＢＥＭ）の押下により開く手動接点が直列に介装されている。
非常停止ランプ（ＰＬ３）の分岐回路には、（緊急停止）プッシュボタン（ＰＢＥＭ）の押下により閉じる手動接点が介装されている。
過負荷異常ランプ（ＰＬ４）の分岐回路には、メイク式の遮断接点（Ｋ８ＡＢ）が介装されている。
【００３２】
停電時電源切替システム３１は、上記した構成を備えており、以下のように動作して電源を供給する。
通常時は、商用電源が供給されるので、外部電源側と商用電源側との切替器（ＤＳ１）を介して商用電源ラインが切替後電源ラインに繋がっている。また、切替器付き専用分電盤３５の商用ランプ（ＰＬ５）が点灯している。
【００３３】
商用電源が停止すると、発電機３３を屋外中継ボックス５に専用ケーブルを介して接続させる。また、切替レバー１９の切替操作により、発電機電源ラインが切替器付き専用分電盤３５に向かう切替後電源ラインに繋がる。
この状態で、発電機３３を稼動させ、発電機電源が供給されると、屋外中継ボックス５の発電機ランプ（ＰＬ１）と、切替器付き専用分電盤３５の発電機ランプ（ＰＬ２）が点灯する。
【００３４】
安全機構として、電流は監視されており、過負荷異常になると、遮断接点（Ｋ８ＡＢ）が開かれて、発電機電源供給リレー（ＭＣ１）が停止し、開閉器（ＭＣ１）が開かれて、電源供給が停止する。同時に、過負荷異常ランプ（ＰＬ４）が赤色点灯する。
異常状態が解除されると、遮断接点（Ｋ８ＡＢ）が閉じられて、発電機電源供給リレー（ＭＣ１）が再び作動し、開閉器（ＭＣ１）が閉じられて、電源供給が再開される。同時に、過負荷異常ランプ（ＰＬ４）が消灯する。
【００３５】
また、配線が何かに引っ掛かっていたりする状態などを確認した者が、安全を考慮して、（緊急停止）プッシュボタン（ＰＢＥＭ）を押下しても、発電機電源供給リレー（ＭＣ１）が停止し、開閉器（ＭＣ１）が開かれて、電源供給が停止する。同時に、非常停止ランプ（ＰＬ３）が赤色点灯する。
（緊急停止）プッシュボタン（ＰＢＥＭ）の頭部を回すと、発電機電源供給リレー（ＭＣ１）が再び作動し、開閉器（ＭＣ１）が閉じられて、電源供給が再開される。同時に、過負荷異常ランプ（ＰＬ４）が消灯する。
【００３６】
上記のように安全機構は、非常に簡易ながら、必要且つ十分な構成になっている。
また、切替器付き専用分電盤３５に安全機構も収められてコンパクト化されているので、設置に必要な場所を大きく取らなくて済む。販売コストも大幅に下げることができる。
発電機によっては、１００Ｖと２００Ｖの両方供給可能になっているので、１００Ｖ側に繋ぐことで、この単相１００Ｖ用の停電時電源切替システム３１を利用できる。
また、自動車用バッテリーのＤＣ１２Ｖを電源として利用する場合には、インバータによりＡＣ１００Ｖに変換するので、この単相１００Ｖ用の停電時電源切替システム３１を利用できる。
従って、外部電源が単相１００Ｖに限られるような場合には、この簡易タイプの利用が推奨される。
【００３７】
以上、本考案の実施の形態について詳述してきたが、具体的構成は、上記の実施の形態に限定されるものではなく、本考案の趣旨を逸脱しない範囲における設計の変更があっても考案に含まれる。
なお、上記の実施の形態では、手動操作部は操作レバー１５や電力モニタ２１に付随した電力設定部や電流設定器（Ｋ８ＡＢ）で構成され、視認確認部はランプ（ＰＬ）や電力モニタ２１で構成されている。
【符号の説明】
【００３８】
１…停電時電源切替システム（単相３線式）
３…発電機              ５…屋外中継ボックス      ７…切替器付き専用分電盤
９…基台              １１…カバー体            １３…扉
１５…主幹ブレーカ（ＥＬＢ２）の操作レバー
１７…分岐ブレーカ（ＥＬＢ３）の操作レバー
１９…外部電源側と商用電源側との切替器（ＤＳ１）の切替レバー
２１…電力量検出装置（ＫＭ５０）の設定部を含む電力モニタ
２３…（異常／リセット）ランプボタン              ２５…（緊急停止）ランプボタン
３１…停電時電源切替システム（単相２線式）
３３…発電機            ３５…切替器付き専用分電盤
３７…電流設定器（Ｋ８ＡＢ）の電流設定部
【図１】
0003233809.tif 000003
【図２】
0003233809.tif 000004
【図３】
0003233809.tif 000005
【図４】
0003233809.tif 000006
【図５】
0003233809.tif 000007
【図６】
0003233809.tif 000008
【図７】
0003233809.tif 000009
【図８】
0003233809.tif 000010
【図９】
0003233809.tif 000011
【図１０】
0003233809.tif 000012
【図１１】
0003233809.tif 000013
【図１２】
0003233809.tif 000014
【図１３】
0003233809.tif 000015
【図１４】
0003233809.tif 000016
【図１５】
0003233809.tif 000017